(57)【特許請求の範囲】
【請求項１】
複数枚のスラットを、下側スラットの略弧状をなす上カール部が上側スラットの略弧状をなす下カール部の外側に嵌合されて上下に隣接するスラットどうしを互いに回動可能に連結してなるシャッターカーテンを有し、
前記シャッターカーテンを建物開口部の上部に設けたシャッターケース内の巻胴に内巻き式に巻取る構造を有し、
シャッターを閉じる際に、前記建物開口部の左右に設けたガイドレールの頂部にスラットが差し掛かると、下側スラットがそのスラットに連結された上側スラットに対して相対的に外側に曲がる構造を有し、
前記各スラットの下カール部の近傍に、表面が斜め上向きの下側傾斜部と表面が斜め下向きの上側傾斜部とからなるくの字形をなす室内側への突出部を形成し、
シャッターカーテンを閉じたときの前記突出部の下側傾斜部の傾斜角度を、使用材料によって異なる水の転落角以上に形成し、
スラットどうしの嵌合部を構成する前記下カール部の先端は外面の曲率半径ｒが小さい弧状面に形成し、中間部ないし下部の外側弧状面の曲率半径Ｒを前記曲率半径ｒより大きく形成すると共に、スラット閉じ状態において下カール部の室外側となる部分から前記曲率半径Ｒの弧状面の下部にわたり、前記曲率半径Ｒより曲率半径が大きいなだらかな弧状面を形成し、
前記上カール部の先端部以外の前記嵌合部の内面の弧状面の曲率半径を前記Ｒとほぼ同じに形成すると共に、前記上カール部の前記嵌合部より下部であって前記なだらかな弧状面に対面する部分は斜めの平坦部に形成し、
シャッターカーテンを閉じたときの前記上カール部の先端と前記下カール部の先端との間に、スラットどうしの嵌合部における他の部分の相互の隙間よりはるかに大きな間隙Ｇが形成されると共に、前記嵌合部における前記上カール部と前記下カール部との間の隙間は毛細管現象が嵌合部全域において生じる程度にきわめて狭く形成され、
シャッターカーテンが巻胴に巻かれた状態では、嵌合部における上カール部と下カール部の下部の隙間ｇが拡大し、シャッターを閉じる際に、前記ガイドレールの頂部にスラットが差し掛かると、下側スラットが上側スラットに対して相対的に外側に曲がることにより、前記拡大された隙間ｇが狭まり、かつ下カール部に対して上カール部が回ることにより、前記なだらかな弧状面と前記平坦部との間隔が絞られて、前記拡大された隙間に保持されていた水が室外に放出される構成を有する
ことを特徴とするシャッター。
【発明の詳細な説明】
【技術分野】
【０００１】
本発明は、複数枚のスラットを、各スラットの上下に設けた略弧状をなすカール部同士を互いに回動可能に嵌合して連結してなるシャッターカーテンを有し、前記シャッターカーテンを建物開口部の上部に設けたシャッターケース内の巻胴に内巻き式に巻取る構造を有するシャッターに関する。
【背景技術】
【０００２】
従来のシャッターとして、複数枚のスラットを、各スラットの上下に設けた略弧状をなすカール部同士を互いに回動可能に嵌合して連結してなるシャッターカーテンを有し、前記シャッターカーテンを建物開口部の上部に設けたシャッターケース内の巻胴に内巻き式に巻取る構造を有するものが開示されている（例えば特許文献１参照。）。ここで、内巻き式とは、シャッターケース内に設けられる巻胴の室外側でシャッターカーテンが巻き取り繰り出しされるものであり、この内巻き式のシャッターは、シャッターケースの建物からの突出幅が小さく、小型に構成できる点で有利である。
【０００３】
このようなシャッターにおいて、特許文献１に開示されたシャッターカーテンを構成するスラットは、図１（A）に示される構造を有している。すなわち、スラット２０の上下に他のスラット２０との連結部となる上カール部２１と下カール部２２とを有し、下カール部２２の近傍に、シャッターカーテンが閉じた状態で室内側となる方向に曲成させた突出部２３を有する。このような突出部２３を設けている理由は、図２（Ａ）に示すように巻胴６にシャッターカーテン２５が巻かれた状態において、上カール部２１と下カール部２２との嵌合部２６が内側のスラット２０の表面に接しないように浮かせるためである。
【０００４】
このような突出部２３が無い場合、図２（Ｂ）に示すように、前記嵌合部２６が内側のスラット２０の表面に接し、このシャッターカーテンを巻き上げまたは繰り出していくとき、巻胴６の室外側の面に接している部分で、現時点で建物開口部へ降りるかあるいは開口部から引き上げられようとしているスラットａが矢印ｒのように回動するため、嵌合部２６が内側のスラット２０の外面を擦り、その部分に傷がつく。そこで、このようなスラット２０の表面の損傷を防ぐために突出部２３が設けられて嵌合部２６を浮かしているのである。
【０００５】
なお、図３（Ａ）〜（Ｃ）に示すように、このシャッターは、障子１を装着するサッシ枠２とともに躯体に取付けられるもので、その室外側の左右両側にはシャッターカーテン２５の左右端部を上下動自在にガイドするガイドレール４が取付けられる。サッシ枠２およびガイドレール４の上部には、シャッターケース５が設置される。シャッターケース５内には、巻胴６が取付けられる。
【０００６】
【特許文献１】特開２００２−０１３３６４号公報
【発明の開示】
【発明が解決しようとする課題】
【０００７】
前記図１（A）に示すように突出部２３を有するスラットを用いた内巻き式のシャッターの場合、図３（Ａ）に示すように、シャッターカーテン２５に降雨等２７があり、シャッターカーテン２５に降雨等による水２９が付いた状態で図３（Ｂ）に示すようにシャッターカーテン２５を巻胴６に巻いてシャッターを開くと、巻いたシャッターカーテン２５に水２９が保持され、その後、シャッターを閉めると、図３（Ｃ）に示すように、シャッターカーテン２５に保持されていた水２９が室内側に飛散するという問題点があった。図３（Ｄ）はシャッターを備えたサッシ枠２の室内側端面から室内側に向けて測定した距離（０〜４００ｍｍ）に対する水２９の飛散状況を示す図である。
【０００８】
このようにシャッターを閉じる際に室内側に水が飛散する原因について本発明者等が研究した結果、図４、図５に示すメカニズムで水の保持、飛散が起きることが判明した。すなわち、まず図４（Ａ）に示すように、シャッターを閉じた状態において、シャッターカーテン２５の表面に付いた水２９がスラット２０の外面に沿って流下して突出部２３内に溜まったり、嵌合部２６の隙間に溜まる。
【０００９】
そしてシャッターカーテン２５の巻き取りに伴ない、内側のスラット２０の突出部２３や嵌合部２６に溜まっていた水滴２９が、水滴自体の重力と、シャッターカーテン２５の矢印Ｒａで示す回転に伴う遠心力により、図４（Ｂ）、（Ｃ）に示すように引き上げられる外側のスラット２０の裏面に移行する。その後、巻胴６に巻かれたシャッターカーテン２５がさらに回転することにより、巻胴６の上部に至った外側のスラット２０の水の一部が内側のスラット２０に移行したりしながら、シャッターカーテン２５に水が保持されたままで巻胴６に巻き取られる。
【００１０】
このように巻き取られたシャッターカーテン２５に保持された水２９は、図５（Ａ）、（Ｂ）、（Ｃ）等で示される種々の態様で下方に落下する。このうち、図５（Ａ）の例は、その左図に示すように外側のスラット２０の突出部２３の上に内側のスラット２０の嵌合部２６が乗った場合である。この場合は、巻胴６がシャッターの閉じ方向に回転（矢印Ｒｂで示す。）することにより、右図に示すように、外側のスラット２０の突出部２３の裏に付着している水と、内側のスラット２０の嵌合部２６の隙間にある水が引きあい、巻胴６のシャッター閉じ方向の回転により、遠心力が水に付与され、矢印ｂに示すように水を室内側に向けて飛ばす。
【００１１】
図５（Ｂ）の例は、その左図に示すように、内側のスラット２０の突出部２３の凹部に、外側のスラット２０の嵌合部２６が接する場合である。この場合は、巻胴６がシャッターの閉じ方向に回転する（矢印Ｒｂで示す。）ことにより、突出部２３内に溜まっている水を外側のスラット２０の嵌合部２６が引き出し、巻胴６の回転に伴い、遠心力が水に付与され、矢印ｃに示すように、室内側に向けて水を飛ばす。
【００１２】
図５（Ｃ）の例は、その左図に示すように、内側のスラット２０の嵌合部２６が、外側のスラット２０の裏面に接している場合である。この場合は、巻胴６がシャッターの閉じ方向に回転する（矢印Ｒｂで示す。）ことにより、内側のスラット２０の突出部２３内に溜まっている水および嵌合部２６に溜まっている水を外側のスラット２０の裏面接触部が引き出し、巻胴６の回転に伴い、遠心力が水に付与され、矢印ｄに示すように、室内側に向けて水を飛ばす。
【００１３】
このように、従来のシャッターでは、シャッターを閉じる際に、シャッターカーテン２５に保持されていた水が室内に飛散することがあるという問題点があった。
【００１４】
本発明は、上記した従来のシャッターカーテンを有する内巻き式シャッターの問題点に鑑み、降雨時あるいは降雨後に巻き上げられたシャッターを閉じる際に、シャッターカーテンから水が室内へ飛散することを防止しうる構成のシャッターを提供することを目的とする。
【課題を解決するための手段】
【００１５】
請求項１のシャッターは、複数枚のスラットを、下側スラットの略弧状をなす上カール部が上側スラットの略弧状をなす下カール部の外側に嵌合されて上下に隣接するスラットどうしを互いに回動可能に連結してなるシャッターカーテンを有し、
前記シャッターカーテンを建物開口部の上部に設けたシャッターケース内の巻胴に内巻き式に巻取る構造を有し、
シャッターを閉じる際に、前記建物開口部の左右に設けたガイドレールの頂部にスラットが差し掛かると、下側スラットがそのスラットに連結された上側スラットに対して相対的に外側に曲がる構造を有し、
前記各スラットの下カール部の近傍に、表面が斜め上向きの下側傾斜部と表面が斜め下向きの上側傾斜部とからなるくの字形をなす室内側への突出部を形成し、
シャッターカーテンを閉じたときの前記突出部の下側傾斜部の傾斜角度を、使用材料によって異なる水の転落角以上に形成し、
スラットどうしの嵌合部を構成する前記下カール部の先端は外面の曲率半径ｒが小さい弧状面に形成し、中間部ないし下部の外側弧状面の曲率半径Ｒを前記曲率半径ｒより大きく形成すると共に、スラット閉じ状態において下カール部の室外側となる部分から前記曲率半径Ｒの弧状面の下部にわたり、前記曲率半径Ｒより曲率半径が大きいなだらかな弧状面を形成し、
前記上カール部の先端部以外の前記嵌合部の内面の弧状面の曲率半径を前記Ｒとほぼ同じに形成すると共に、前記上カール部の前記嵌合部より下部であって前記なだらかな弧状面に対面する部分は斜めの平坦部に形成し、
シャッターカーテンを閉じたときの前記上カール部の先端と前記下カール部の先端との間に、スラットどうしの嵌合部における他の部分の相互の隙間よりはるかに大きな間隙Ｇが形成されると共に、前記嵌合部における前記上カール部と前記下カール部との間の隙間は毛細管現象が嵌合部全域において生じる程度にきわめて狭く形成され、
シャッターカーテンが巻胴に巻かれた状態では、嵌合部における上カール部と下カール部の下部の隙間ｇが拡大し、シャッターを閉じる際に、前記ガイドレールの頂部にスラットが差し掛かると、下側スラットが上側スラットに対して相対的に外側に曲がることにより、前記拡大された隙間ｇが狭まり、かつ下カール部に対して上カール部が回ることにより、前記なだらかな弧状面と前記平坦部との間隔が絞られて、前記拡大された隙間に保持されていた水が室外に放出される構成を有する
ことを特徴とする。
【発明の効果】
【００１６】
本発明のシャッターは、下カール部の近傍に、下カール部から室内側に向けて形成した傾斜部と、その傾斜部の上部から室外側に向けて傾斜して設けた傾斜部とからなるくの字形をなす室内側への突出部を形成し、シャッターカーテンを閉じたときの前記突出部の下部傾斜部の傾斜角度を、使用材料によって異なる水の転落角以上に形成したので、前記突出部のシャッターが閉じているときにシャッターカーテンの表面に付着する水は、突出部の表面に滞ることなく流下するので、シャッターを巻胴に巻き取っていくときにシャッターカーテンに保持される水の量が大幅に低減され、シャッターを閉じる際における室内への水の飛散量が低減される。
【００１７】
また、シャッターを閉じる際に、ガイドレールの頂部にスラットが差し掛かると、下側のスラットがそのスラットに連結された上側のスラットに対して相対的に外側に曲がるため、拡大された隙間ｇが狭まり、さらに下カール部９に対して上カール部が回るため、平坦部の間隔が絞られるので、隙間ｇに保持されていた水が室外に放出され、嵌合部に残留する水を放出することが可能となる。このため、再度巻胴にシャッターカーテンを巻取って開く際には嵌合部に保持される水がほとんど無くなり、再度シャッターを閉じる際における室内への水の飛散はほとんどなくなる。
【発明を実施するための最良の形態】
【００１８】
図６は本発明によるシャッターの一実施の形態を示す縦断面図である。このシャッターを含む建具の外観は、シャッターカーテン３以外については図３（Ａ）〜（Ｃ）と同じである。図６に示すように、建物開口部には、前記従来例と同様に、障子１を装着するサッシ枠２が取付けられ、その室外側の左右両側にはシャッターカーテン３の左右端部を上下動自在にガイドするガイドレール４が取付けられる。サッシ枠２およびガイドレール４の上部には、シャッターケース５が設置される。シャッターケース５内には、巻胴６が設置される。巻胴６にはシャッターカーテン３が巻き取り繰り出し可能に、内巻き式に巻かれる。
【００１９】
シャッターカーテン３は、複数枚のスラット７を連結して構成される。スラット７は、図１（Ｂ）に示すように、各スラット７の上下に設けた略弧状をなす上カール部８と下カール部９とを有し、これらを互いに回動可能に嵌合する嵌合部１０を構成し、これによりスラット７どうしを相対回動可能に連結することによってシャッターカーテン３が構成される。前記各スラット７の下カール部９の近傍に、スラット７の曲成により室内側に突出した突出部１１を形成する。突出部１１は、各スラットの下カール部の近傍に、表面が斜め上向きの下側傾斜部１１ａと、その下側傾斜部１１ａの上部から連続して形成され、表面が斜め下向き上側傾斜部１１ｂとからなるくの字形をなす。そして、シャッターカーテン３を閉じたとき、すなわちシャッターカーテン３を垂直に垂下したときの前記突出部１１の下部傾斜部１１ａの傾斜角度αを、使用材料によって異なる水の転落角以上に形成する。
【００２０】
また、突出部１１と上カール部８との間に室外側への膨出部３０を形成する。この実施の形態の膨出部３０は、上カール部８の下にこの上カール部から室外側に向けて傾斜して設けた傾斜部３０ａと、この傾斜部３０ａに連続して設けた中央面部３０ｂとからなる。この中央面部３０ｂは外側に膨らませて形成することが好ましい。この膨出部３０は、シャッターカーテン３が巻胴６の外側にそって弧状に密に巻かれる役目を果たす。
【００２１】
図７は前記転落角を説明する図であり、転落角θとは、傾斜面１２に水滴１３を滴下したとき、傾斜面１２に沿って水滴１３が流下し始める角度である。この転落角θは、塗装面の材質、温度等にもよるが、一般的なスラット用の材料、すなわちアルミニウム合金や鉄板（鋼板）等に塗装を施したものであればおおよそ５０度程度以上になり、下部傾斜部１１ａの傾斜角度αは、スラットの材料にアルミニウム合金を用いるか鉄板（鋼板）を用いるか、またはスラットに塗布する塗料に何を使用するか等の使用材料によって異なる水の転落角θ以上あることが必要になる。しかし下部傾斜部１１ａの傾斜角度αが９０度以上であると、突出部１１が形成されないので、下部傾斜部１１ａの傾斜角度αは９０度未満とすることが必要である。
【００２２】
また、本実施の形態においては、前記隣接するスラット７、７間を連結する上カール部８と下カール部９と間の嵌合部１０の隙間ｇ（シャッターを閉じた状態における上カール部８と下カール部９との頂部接点Ｐの真下の部分の間隔）を、毛細管現象により嵌合部の隙間に引き込む寸法に設定している。なお、水を嵌合部の隙間に引き込む隙間ｇは、シャッターが閉じた状態において、０．３０ｍｍ以下、より好ましくは０．２５ｍｍ以下、さらに好ましくは０．２０ｍｍ以下であるが、この隙間ｇがあまり狭くなると嵌合部１０の回動抵抗が大きくなり、製造も容易ではなくなるので、前記隙間ｇの寸法は０．１ｍｍ以上とすることが好ましい。
【００２３】
なお、図１（Ａ）に示す従来のスラット２０の突出部２３の傾斜部のシャッターが閉じたときの傾斜角度βは１５度程度に設定されており、また、シャッターが閉じたときの嵌合部２６の隙間Ｇは０．６ｍｍ前後に設定されている。
【００２４】
図８は従来のスラット２０と本実施の形態のスラット７の作用を対比して示す図であり、図８（Ａ）に示すように従来の突出部２３には降雨により水２９が溜まり、シャッターを開く際には、この水２９が流下しないで引き上げられるので、巻胴６に巻いた状態でもシャッターカーテン３に水が保持される。
【００２５】
一方本実施の形態の場合には、図８（Ｂ）に示すように、突出部１１の傾斜部１１ａの傾斜角度αが転落角θ以上に設定されているので、水２９は突出部１１から流下する。このため、巻胴６にシャッターカーテン３を巻いた状態における水の保持量が低減され、その分、シャッターを閉じる際の室内への水の飛散量が低減される。
【００２６】
また、従来のスラット２０の場合、図８（Ｃ）に示すように、嵌合部２６に間隙Ｇ（シャッターを閉じた状態における上カール部２１と下カール部２２との頂部接点Ｐの真下の部分の間隔）は大きく、また、水の保持能力は弱く、図５に示したようにシャッターを閉じるときに嵌合部２６に保持されている水２９が移動しやすいため、室内への水の飛散量が大きくなる。
【００２７】
一方、本実施の形態によれば、図８（Ｄ）に示すように、嵌合部１０の隙間ｇを毛細管現象により嵌合部１０の隙間に引き込む寸法に設定したので、嵌合部１０における水２９の保持量は少ないため、シャッターカーテン３を巻胴６に巻いたときの嵌合部１０における水の保持量が少なくなる上、シャッターを閉じるときに嵌合部１０に保持されている水２９が隙間に発生する毛細管現象により移動しにくくなり、したがって室内への水の飛散量が少なくなる。
【００２８】
本実施の形態においては、前記突出部１１の傾斜部１１ａの傾斜角度αを使用材料によって異なる水の転落角θ以上にし、かつ前記嵌合部１０の隙間ｇを毛細管現象によって水を嵌合部に引き込む寸法に設定したので、これら２つの構成の作用効果をともに奏することができ、シャッターカーテン３に保持される水の量を低減しうるとともに、シャッターを閉じる際の水の室内への飛散を大幅に低減あるいは皆無とすることができる。
【００２９】
また、本実施の形態においては、図１（Ｂ）に示すように、シャッターカーテン３を閉じた状態において、上カール部８の下カール部９に嵌合された部分の最下部分からその下の近傍部にかけて平坦部８ａを設け、下カール部９の嵌合部近傍にも平坦部８ａに対応するなだらかな弧状面９ａを設ける。さらに図９により詳述する構造を有するので、後述のような作用を発揮することができる。
【００３０】
図９（Ａ）は図１（Ｂ）の要部を拡大して示す図、すなわちシャッターを閉じた状態において、スラット７Ａ、７Ｂが垂直に連なった状態での下カール部９と上カール部８との連結状態、図９（Ｂ）は巻胴に巻かれた時の嵌合部１０の状態、図９（Ｃ）はスラット７Ａ、７Ｂが巻胴６から離れ、ガイドレール４の上部に差し掛かり、下側のスラット７Ａが上側のスラット７Ｂに対して相対的に外側に折れ曲がった状態を示す。
【００３１】
図９（Ａ）に示すように、シャッターが閉じた状態においては、嵌合部１０を構成する上カール部８の先端と下カール部９の先端との間には嵌合部１０における他の部分における相互の隙間よりはるかに大きな間隙Ｇが形成されており、また、嵌合部１０の下カール部９の外面の上部の弧状面の曲率半径ｒより中間部ないし下部の弧状面の曲率半径Ｒは大きく形成されており、一方上カール部８の嵌合部１０の先端部以外の部分の内面の弧状面の曲率半径は前記Ｒとほぼ同じであり、弧状面９ａの曲率半径は嵌合部１０の曲率半径Ｒより大きく形成されている。前記のように、シャッターが閉じた状態においては、嵌合部１０における上カール部８と下カール部９との間の隙間は毛細管現象が嵌合部全域において生じる程度にきわめて狭く形成され、水の保持量は少ない。
【００３２】
一方、シャッターカーテン３が巻胴６に巻かれた状態では、図９（Ｂ）に示すように、前記曲率半径ｒ、Ｒの関係から、嵌合部１０における上カール部８と下カール部９の嵌合部の下部の隙間ｇが拡大する。このシャッターを閉じる際に、ガイドレール４の頂部にスラット７が差し掛かると、下側のスラット７Ａがそのスラット７Ａに連結された上側のスラット７Ｂに対して相対的に外側に曲がるため、拡大された隙間ｇが狭まり、さらに図９（Ｃ）に示すように、下カール部９に対して上カール部８が矢印Ｒｃで示すように回るため、平坦部８ａと弧状面９ａとの間隔が絞られるので、隙間ｇに保持されていた水２９が室外に放出され、嵌合部１０に残留する水２９を放出することが可能となる。このため、再度巻胴６にシャッターカーテンを巻取って開く際には嵌合部１０に保持される水２９がほとんど無くなり、再度シャッターを閉じる際における室内への水２９の飛散はほとんどなくなる。
【００３３】
本発明は、比較的遅い速度で開閉される電動式シャッターより、速い速度で開閉される手動式シャッターに適用する場合に特に有効である。
【図面の簡単な説明】
【００３４】
【図１】（Ａ）は従来のスラットを示す側面図、（Ｂ）は図６に示す本発明の一実施の形態のシャッターカーテンを構成するスラットを示す側面図である。
【図２】（Ａ）は突出部を有する従来のスラットの作用説明図、（Ｂ）は突出部を有しない従来のスラットの問題点を説明する作用説明図である。
【図３】（Ａ）は従来のシャッターとそのシャッターカーテンに降雨等している状態を示す斜視図、（Ｂ）はそのシャッターカーテンを引き上げている状態を示す側面断面図、（Ｃ）はそのシャッターを閉じる際に室内に水が飛散している状態を示す斜視図、（Ｄ）は飛散した水滴の量を建具の室内側端面からの距離に関連して示す図である。
【図４】（Ａ）、（Ｂ）、（Ｃ）は従来のシャッターカーテンにおいて、その巻き上げによりシャッターカーテンへ水が保持されることを説明する図である。
【図５】（Ａ）、（Ｂ）、（Ｃ）は従来のシャッターカーテンにおいて、シャッターカーテンに保持された水がシャッターを閉じる際に飛散するメカニズムを説明する図である。
【図６】本発明のシャッターの一実施の形態を示す縦断面図である。
【図７】転落角の説明図である。
【図８】（Ａ）、（Ｂ）は従来のスラットと本実施の形態のスラットにおける突出部の作用を対比して説明する図、（Ｃ）、（Ｄ）は従来のスラットと本実施の形態のスラットにおける嵌合部の作用を対比して説明する図である。
【図９】（Ａ）、（Ｂ）、（Ｃ）はそれぞれ本実施の形態における上カール部と下カール部との嵌合部の状態を、シャッターカーテンを閉じた状態、巻胴に巻いた状態、ガイドレールに差し掛かった状態で示す状態図である。
【符号の説明】
【００３５】
１：障子、２：サッシ枠、３：シャッターカーテン、４：ガイドレール、５：シャッターケース、６：巻胴、７：スラット、８：上カール部、９：下カール部、１０：嵌合部、１１：突出部、１１ａ：下側傾斜部、１１ｂ：上側傾斜部、１２：傾斜面、１３：水滴、２７：降雨等、２９：水、α：傾斜角度、ｇ：隙間、３０：膨出部、３０ａ：傾斜部、３０ｂ：中央面部
【図１】
0004743638.tif 000002
【図２】
0004743638.tif 000003
【図７】
0004743638.tif 000004
【図３】
0004743638.tif 000005
【図４】
0004743638.tif 000006
【図５】
0004743638.tif 000007
【図６】
0004743638.tif 000008
【図８】
0004743638.tif 000009
【図９】
0004743638.tif 000010